(57)【要約】      （修正有）【課題】ラック内のケーブルの配線流れを自然にすることで、ケーブルにかかるストレスを緩和し、作業がしやすいケーブル接続装置を提供する。【解決手段】ケーブル１７が接続される多数のケーブル接続部１３が配設された端面の左右両端部をラックに固定している機器（アダプタ機器１０、中継機器）にケーブル１７を接続する場合に、ケーブル接続部１３を、端面１１から突出した端部を有するブロック状に形成された被接続体１５を有して構成し、この被接続体１５の端面１１から突出した端部に、斜め下方に向けられた斜面１６を設け、この斜面１６にケーブル１７の端部に設けられた接続コネクタ１８を接続する接続ポート１９を形成する。この機器の下方に、両側端部がラックに固定されて、ケーブル１７を水平方向に引き込むと共に上方へ引き上げることが可能な配線棚３５を設ける。【選択図】図５
2013157411.tif 000002
【特許請求の範囲】
【請求項１】
ケーブルが接続される多数のケーブル接続部が配設された端面の左右両端部をラックに固定している機器に対して用いられるケーブル接続装置において、
前記ケーブル接続部は、前記端面から突出した端部を有するブロック状に形成された被接続体を有し、この被接続体の前記端部に斜め下方へ向けられた斜面を形成し、この斜面に前記ケーブルを接続する接続ポートを開口して構成され、前記ラックの前記機器の下方に、左右両端部が前記ラックに固定されて、前記ケーブルを水平方向に引き込むと共に上方へ引き上げることが可能な配線棚を設けたことを特徴とするケーブル接続装置。
【請求項２】
前記被接続体は、前記端面に対して突出方向に移動可能であることを特徴とする請求項１記載のケーブル接続装置。
【請求項３】
前記ケーブル接続部は、前記被接続体の前面を覆うことが可能な遮蔽板を上下にスライド可能に設けたことを特徴とする請求項１又は２記載のケーブル接続装置。
【請求項４】
前記機器は、前記ケーブルが接続可能な多数の接続ポートが配設された端面の左右両端部をラックに固定しているネットワーク用の中継機器の下方に設けられ、前記中継機器の接続ポートと前記被接続体の接続ポートとが接続手段により電気的に接続されるアダプタ機器であることを特徴とする請求項１乃至４のいずれかに記載のケーブル接続装置。
【請求項５】
前記機器は、ケーブルが接続される多数のケーブル接続部が配設された端面の左右両端部をラックに固定しているネットワーク用の中継機器であることを特徴とする請求項１乃至４のいずれかに記載のケーブル接続装置。
【請求項６】
前記配線棚は、前記端面の略垂直方向に沿って延設された多数のスリットを水平方向に等間隔に配設した棚部材を上下方向に間隔をあけて複数設けて構成されることを特徴とする請求項１乃至５のいずれかに記載のケーブル接続装置。
【請求項７】
前記配線棚は、前記端面の延設方向に沿って延設されたスリットを前記端面と垂直方向に複数設けた棚部材を上下方向に間隔をあけて複数設けて構成されることを特徴とする請求項１乃至５のいずれかに記載のケーブル接続装置。
【発明の詳細な説明】
【技術分野】
【０００１】
本発明は、ネットワーク用の中継機器として用いられるレイヤツースイッチ（Ｌ２ＳＷ）などのように、両端部がラックに固定されてケーブルを接続可能な多数のケーブル接続部が設けられた端面を有する機器にケーブルを接続するために有用なケーブル接続装置に関する。
【背景技術】
【０００２】
ネットワーク用の中継機器として知られるレイヤツースイッチ（Ｌ２ＳＷ）は、ＬＡＮケーブルなどのコネクタが接続される多数の接続ポートが設けられた端面の左右両端部をラックにネジ止めすることで実装されている。
このようなラックにあっては、ケーブルを中継機器に接続するにあたり、ラック内に挿入されたケーブルをラックの脇から束ねて立ち上げ、中継機器の前方において水平方向（左右方向）に這わせ、しかる後に各接続ポートへ向かうように曲げて、それぞれの接続ポートに端面の前方から挿着するようにしている（特許文献１，２参照）。また、各ケーブルを識別するために、それぞれのケーブルには回線名称札を紐でくくりつけるようにしている。
【先行技術文献】
【特許文献】
【０００３】
【特許文献１】特開２００３−１６８８８１号公報
【特許文献２】特開２０１１−１６０５１３号公報
【発明の概要】
【発明が解決しようとする課題】
【０００４】
しかしながら、上述のようなケーブル接続方法においては、ケーブルが折り重なった状態となり、接続ポートも密集しているため、ケーブルやコネクタ部分に強い負荷がかかった状態となる。このため、ケーブルが外れる等の事故が懸念され、また、誤って運用回線のケーブルを引き抜く可能性もあり、運用回線設備の保護は困難な状況となっている。
【０００５】
また、回線名称札が各ケーブルに紐でぶら下げられる状態となるため、回線名称が見えにくかったり、ケーブルの着脱作業の邪魔になるなどの不都合もあった。
さらに、電力会社では，制御所（変電所）のスイッチ操作において、誤った対象のものを誤って操作しないように、スイッチ名称の呼称→選択ボタンの押下→、入り切り操作→表示の確認の手順を採用しており、この操作手順が身に付いている作業者にとっては、ケーブルの抜き差し作業も同様の手順で行えるようにすることが操作ミスを防ぐ上で好ましい。
さらにまた、接続ポートに接続されたケーブルの接続部位は、装置前面から完全に保護できる構造とすることが望ましい。
【０００６】
本発明は、かかる事情に鑑みてなされたものであり、ケーブルの配線の流れを自然にすることで、ケーブルにかかるストレスを緩和し、且つ、作業をし易くすることで、不用意な事故の発生を低減することが可能なケーブル接続装置を提供することを主たる課題としている。また、回線名称札のケーブルへのくくり付けを不要として上述した不都合を解消することが可能なケーブル接続装置を提供することをも課題としている。
さらにまた、制御所（変電所）のスイッチ操作の手順に合わせてケーブルの抜き差し操作が行えるようにすると共に、接続ポートに接続されたケーブルの接続部位を装置前面から完全に保護することが可能なケーブル接続装置を提供することをも課題としている。
【課題を解決するための手段】
【０００７】
上記課題を達成するために、本発明に係るケーブル接続装置は、ケーブルが接続される多数のケーブル接続部が配設された端面の左右両端部をラックに固定している機器に対して用いられるケーブル接続装置において、前記ケーブル接続部は、前記端面から突出した端部を有するブロック状に形成された被接続体を有し、この被接続体の前記端部に斜め下方へ向けられた斜面を形成し、この斜面に前記ケーブルを接続する接続ポートを開口して構成され、前記ラックの前記機器の下方に、左右両端部が前記ラックに固定されて、前記ケーブルを水平方向に引き込むと共に上方へ引き上げることが可能な配線棚を設けたことを特徴としている。
【０００８】
したがって、ラックの脇を上方に立ち上げられたケーブルは、配線棚の部分で水平方向に方向を変えて敷設され、その後、配線棚から斜め上方へ向かって引き出されてケーブル接続部に導き、このケーブル接続部の被接続体の端部に設けられた接続ポートに斜め下方からそのまま挿着させることができるので、ラックの横からの配線の流れがスムーズとなり、ケーブルにストレスをかけることなく配線することが可能となる。このため、ケーブルの接続ポートへのアクセスが容易となり、また、ケーブルの接続ポートへの着脱作業も容易となる。
【０００９】
なお、作業性を鑑みて、前記被接続体を、端面に対して突出方向に移動可能としてもよい。このような構成によれば、ケーブルの着脱作業時に被接続体の端面からの突出量を大きくして作業をしやすくすることが可能となり、また、作業終了後に端面からの突出量を小さくして、不用意にケーブルを引っ掛けることを防ぐと共に、他のケーブルの着脱作業の邪魔にならないようにすることが可能となる。
【００１０】
また、前記ケーブル接続部は、前記被接続体の前面を覆うことが可能な遮蔽板を上下にスライド可能に設けるようにしてもよい。
このような構成においては、作業が不要なケーブル接続部の被接続体の前面が遮蔽板で覆われるので、ケーブルの接続部分を保護して不用意にケーブルを引っ掛ける等の不都合を低減することができ、また、見栄えをよくすることが可能になる。また、遮蔽板に回線名称を付すことで、回線名称札代わりに用いることが可能となり、従来必要であったケーブルに紐でくくり付けていた回線名称札を無くすことが可能となる。
【００１１】
特に，被接続体を突出方向に対して移動可能とする構成に加えて、被接続体の全面を覆う遮蔽板を設ける構成を採用すれば、被接続体の端面からの突出量を小さくした状態で、被接続体とケーブルとの接続部位を遮蔽版で覆うことが可能となるので、被接続体とケーブルとの接続部位を装置前面から完全に保護することが可能となり、また、遮蔽版に回線名称を付すことで、制御所（変電所）で行われているスイッチ操作の手順に合わせて、ケーブルの抜き差し操作を行うことが可能となる。
即ち、ケーブルの抜き差し操作を、回線名を指差し呼称し（制御所でのスイッチ名称の呼称に対応）、作業対象となる被接続体を前方へ出し（制御所での選択ボタンの押下に対応）、その被接続体の接続ポートに対してケーブルの抜き差しを行い（制御所での入り切り操作に対応）、しかる後に運転状態を確認する（制御所での表示の確認に対応）という一連の手順で対応することが可能となる。
【００１２】
ここで、前記機器は、ケーブルが接続可能な多数の接続ポートが配設された端面の左右両端部をラックに固定しているネットワーク用の中継機器の下方に設けられ、前記中継機器の接続ポートと前記被接続体の接続ポートとが接続手段により電気的に接続されるアダプタ機器として構成されるものであっても、ケーブルが接続される多数のケーブル接続部が配設された端面の左右両端部をラックに固定しているレイヤツースイッチ（Ｌ２ＳＷ）等のネットワーク用の中継機器そのものであってもよい。
【００１３】
また、配線棚は、前記端面の略垂直方向に沿って延設された多数のスリットを水平方向に等間隔に配設した棚部材を上下方向に間隔をあけて複数設けて構成されるものであっても、端面の延設方向に沿って延設されたスリットを前記端面と垂直方向に複数設けた棚部材を上下方向に間隔をあけて複数設けて構成されるものであってもよい。
【発明の効果】
【００１４】
以上述べたように、本発明に係るケーブル接続装置は、機器の端面に設けられたケーブル接続部を、端面から突出した端部を有するブロック状に形成された被接続体で構成し、この被接続体の端面から突出した端部に、斜め下方に向けられた斜面を形成し、この斜面にケーブルの端部に設けられた接続コネクタを接続する接続ポートを開口させるようにし、また、この機器の下方に、両側端部がラックに固定されて、ケーブルを水平方向に引き込むと共に上方へ引き出すことが可能な配線棚を設けるようにしたので、ケーブルの配線の流れを自然にすることが可能となり、ケーブルにかかるストレスを緩和することができると共に、作業がしやすいケーブル接続装置を提供することが可能となる。
【００１５】
また、被接続体を、端面に対して突出方向に移動可能とすることで、ケーブルの着脱作業時に被接続体の端面からの突出量を大きくして作業をしやすくすることが可能となり、また、作業終了後に端面からの突出量を小さくして、不用意にケーブルを引っ掛ける不都合を防ぐと共に、他のケーブルの着脱作業の邪魔にならないようにすることが可能となる。
【００１６】
さらに、ケーブル接続部は、被接続体の前面を覆うことが可能な遮蔽板を上下にスライド可能に設けるようにすることで、ケーブルの接続部分を保護すると共に、不用意なケーブルの引っかかりをなくし、しかも、見栄えをよくすることが可能となる。また、遮蔽板に回線名称を付すことで、回線名称札代わりに用いることが可能となり、従来必要であったケーブルに紐でくくり付けていた回線名称札を削除することが可能となる。
しかも、被接続体を突出方向に対して移動可能とする構成に加えて、被接続体の全面を覆う遮蔽板を設ける構成を採用することで、被接続体とケーブルとの接続部位を装置前面から完全に保護することが可能となり、また、このような構成において、遮蔽版に回線名称を付すことで、制御所（変電所）で行われているスイッチ操作の手順に合わせて、ケーブルの抜き差し操作を行うことが可能となり、誤操作を低減することが可能となる。
【図面の簡単な説明】
【００１７】
【図１】図１は、本発明に係るケーブル接続装置を、既存の中継機器にアダプタ機器を介してケーブルを接続する構成を示した図である。
【図２】図２は、本発明に係るケーブル接続装置のケーブル接続部の構成例を示す図であり、（ａ）は被接続体の端面からの突出量を大きくした状態を示す図、（ｂ）は被接続体の端面からの突出量を小さくした状態を示す図である。
【図３】図３は、本発明に係るケーブル接続装置の被接続体にケーブルの接続コネクタを挿着する前後の状態を示す正面図であり、（ａ）はケーブルの接続コネクタを被装着体の接続ポートに挿着する直前の状態を示す図、（ｂ）はケーブルの接続コネクタを被装着体の接続ポートに挿着した状態を示す図である。
【図４】図４は、本発明に係るケーブル接続装置の被接続体にケーブルの接続コネクタを挿着する前後の状態を示す側面図であり、（ａ）はケーブルの接続コネクタを被装着体の接続ポートに挿着する直前の状態を示す図、（ｂ）はケーブルの接続コネクタを被装着体の接続ポートに挿着した状態を示す図である。
【図５】図５は、本発明に係るケーブル接続装置を用いてケーブルを敷設してケーブル接続部に接続した状態例を示す図であり、（ａ）は側面から見た図、（ｂ）は正面から見た図である。
【図６】図６は、配線棚の他の構成例を示す図であり、（ａ）はその斜視図、（ｂ）はその平面図である。
【図７】図７は、ネットワーク用の中継機器として知られるレイヤツースイッチ（Ｌ２ＳＷ）を改良して本発明に係るケーブル接続装置を採用した例を示す図である。
【図８】図８は、ネットワーク用の中継機器に本発明に係るケーブル接続部を組み込んだ場合の構成例を示す図である。
【発明を実施するための形態】
【００１８】
以下、本発明のケーブル接続装置の実施形態を、添付図面を参照しながら説明する。
【００１９】
図１乃至図５において、本発明に係るケーブル接続装置をネットワーク用の中継機器であるレイヤツースイッチ（Ｌ２ＳＷ）に利用する第１の実施例が示されている。
【００２０】
この例において、中継機器１は、既存のラック２の左右両側に設けられた対をなす支持柱３，３に、ケーブルが接続される多数のケーブル接続部４が配設された端面５の左右両端部を例えばＬ字状の取付金具６を介してネジ止めすることで固定されたそれ自体公知のもので、それぞれのケーブル接続部４は、ＬＡＮケーブル等のケーブルコネクタが接続可能な接続ポート７を端面５に開口して構成されており、この例においては端面に上下２段にして左右方向に多数設けられ、１２個を一組として２組分のケーブル接続部（計２４ポート）が設けられている。このような中継機器１は、ラック２に対して上下方向に必要数だけ実装されており、図１においては、その１つが示されている。
【００２１】
この中継機器１の下方には、所定のスペースを空けて、２つのアダプタ機器１０が上下に隣接して実装されている。このアダプタ機器１０は、機器本体の左右に延設された端面（前面）１１の左右両端部を例えばＬ字状の取り付け金具１２を介してラック２の支持柱３にネジ止めすることにより固定されており、端面１１にケーブルを接続可能な多数のケーブル接続部１３が設けられている。
【００２２】
この例において、それぞれのアダプタ機器１０は、中継機器１の一組の接続ポートの数に対応したケーブル接続部（１２個のケーブル接続部）１３が水平方向に等間隔に設けられ、これらのケーブル接続部１３は中継機器１の一組のケーブル接続部４（接続ポート７）と中継ケーブル３０，３１を介して接続されている。
【００２３】
アダプタ機器１０に設けられた各ケーブル接続部１３は、図２乃至図４にも示されるように、前面から突出した端部を有するブロック状に形成された被接続体１５を有し、この被接続体１５の前面から突出した端部１５ａに、斜め下方に向けられた斜面１６が形成され、この斜面１６にケーブル１７の端部に設けられた接続コネクタ１８を接続する接続ポート１９が該斜面１６に対して垂直方向に開口形成されている。
【００２４】
この被接続体１５は、突出方向（自身の軸方向）に移動可能として、端面１１からの端部１５ａの突出量を可変できるようになっており、端面１１からの突出量が最も小さい場合においても、接続ポート１９が端面１１の前方に位置するようになっている。被接続体１５を突出方向へ移動させる手段としては、被接続体１５を指で摘んで変位させるものでもよいが、マグネットの吸着力によって被接続体１５の端部１５ａを端面１１からの突出量が小さい状態と、端部１５ａの端面１１からの突出量が大きい状態とを被接続体１５を押す度に交互に切り替えるマグネットキャッチを備えるものであってもよい。
【００２５】
また、ケーブル接続部１３は、被接続体１５の端部１５ａの端面１１からの突出量が小さい状態において、被接続体１５の前面を覆うことが可能な遮蔽板２０が被接続体１５より上方に設けられた遮蔽板収容体２１に収容されている。この遮蔽板２０は、遮蔽板収容体２１に上下にスライド可能に設けられているもので、例えば、遮蔽板収容体２１の両側面または片側面（この例では両側面）に形成されたスリット２２に遮蔽板２０の側縁に突設されたピン２３を挿通突出させ、このピン２３をスリット２２に沿って上下にスライドさせることにより、遮蔽板２０を上下に移動できるようにしている。
この遮蔽板２０は、被接続体１５の前面全体を覆う必要は必ずしもなく、少なくとも接続ポート１９が形成された部分を覆う程度に下方へ下げればよい。
【００２６】
尚、中継ケーブル３０，３１は、例えば、一端に中継機器の一組の接続ポート７群に同時に接続可能なプラグユニット３２を有し、他端にアダプタ機器１０の各ケーブル接続部１３に対して内部において接続されたジャックユニット３３と接続可能なプラグユニット３４を有し、これらプラグユニット間を例えば偏平ケーブル３５で接続するようにしている。
【００２７】
この例において上側のアダプタ機器１０は、その上面にジャックユニット３３が設けられ、中継ケーブル３０を介して、ジャックユニット３３と中継機器１の一方の一組の接続ポートとを接続することで、中継機器１の一方の一組の接続ポート７とアダプタ機器１０の各ケーブル接続部１３の接続ポート１９とが１対１の関係となるように接続されている。また、下側のアダプタ機器１０は、その背面に図示しないジャックユニットが設けられ、中継ケーブル３１を介して、このジャックユニットと中継機器１の他方の一組の接続ポートとを接続することで、中継機器１の他方の一組の接続ポート７とアダプタ機器１０の各ケーブル接続部１３の接続ポート１９とが１対１の関係となるように接続されている。
尚、上述した中継機器１の接続ポートに接続されるプラグユニット３２は、不用意に外れないようにカバー部材２９を中継機器１に取り付けて覆うようにしてもよい。
【００２８】
ラック２の上述したアダプタ機器１０の下方には、配線棚３５が実装されている。この配線棚３５は、左右方向に延びる平板３６の両端部３６ａがラック２の支持柱３にネジ止めすることにより固定され、この平板３６に、略水平に前方へ突出された底板３７と、その上方に所定の間隔を空けて設けられ、略水平に前方へ突出された第１の棚部材３８と、この第１の棚部材３８のさらに上方に所定の間隔を空けて設けられ、略水平に前方へ突出された第２の棚部材３９とを固定して構成されている。
【００２９】
底板３７と第１の棚部材３８は、前方への突出量がほぼ同程度に形成され、第２の棚部材３９は、第１の棚部材３８よりも前方への突出量が小さくなっている。第１及び第２のそれぞれの棚部材３８，３９は、前側縁部からラックの前後方向に延びる多数のスリット４０，４１がラック２の左右方向に等間隔に多数形成されて全体として櫛状に形成されている。それぞれのスリット４０，４１は、ケーブル１７を十分なクリアランスを介して挿通させることが可能な程度の幅を有しており、下方から立ち上げられたケーブル１７をこのスリットを介して上方へ導くことができるようになっている。第１の棚部材３８のスリット４０と第２の棚部材３９のスリット４１は、棚部材の後ろ側の終端部（平板３６に近い側の端部）がラック２の前後方向で同位置となるように形成され、したがって、第１の棚部材３８のスリット４０は、第２の棚部材３９のスリット４１よりも長く形成されている。
【００３０】
また、第１の棚部材３８のスリット４０と第２の棚部材３９のスリット４１は、上下方向に投影した際にスリット位置が重なるように設けられても、一方のスリット位置が上下方向に投影した際に他方のスリットとスリットとの間に位置するように設けられてもよい。
【００３１】
以上の構成において、ケーブル１７を中継機器１に電気的に接続するためにラック２に配線するにあたり、ケーブル１７をラック２の脇を上下方向に引き上げた後に、配線棚３５の部分でケーブル１７を曲げて配線棚３５に沿って水平方向（左右方向）に這わす。この際、図５に示されるように、底板３７、第１の棚部材３８、第２の部材３９上にケーブル１７を適宜分配して這わす。
【００３２】
その後、ケーブル１７を接続したいケーブル接続部１３を見越して、ケーブル１７をそのケーブル接続部１３の直下よりも引き込み側の部分から上方へ立ち上げる。この際、第２の棚部材３９上に這わされたケーブル１７はそのまま立ち上げればよいが、第1の棚部材３８上に這わされたケーブル１７は第２の棚部材３９のスリット４１を挿通させて引き上げ、また、底板３７上に這わされたケーブル１７は、第１の棚部材３８のスリット４０を介して、又は、第1及び第２の棚部材３８，３９のスリット４０，４１を介して引き上げ、対応するケーブル接続部１３の斜面１６に向かって斜め下方から近づける。それと同時に、ケーブル接続部１３の遮蔽板２０をピン２３を上に押し上げて上方へ動かし、被接続体１５の端部１５ａを露出させ、また、必要により被接続体１５を前方へ移動させ、その状態でケーブル１７の接続コネクタ１８を斜面１６に形成された接続ポート１９に接続する。
【００３３】
そして、被接続体１５の接続ポート１９にケーブル１７を接続した後は、被接続体１５を押して元の位置に戻し、被接続体１５の前面を遮蔽板２０で覆い、接続ポート１９に接続されたケーブル１７の接続部分を保護する。
このような作業を繰り返して、すべてのケーブル１７をアダプタ機器１０の対応するケーブル接続部１３の接続ポート１９に接続し、このアダプタ機器１０を介して各ケーブル１７を中継機器１の接続ポート７に電気的に接続する。
【００３４】
なお、ケーブル１７をケーブル接続部１３の接続ポート１９から外す場合も、必要により遮蔽板２０を上げると共に被接続体１５を前方へ移動させ、この状態でケーブル１７の接続コネクタ１８を接続ポート１９から取り外す。
【００３５】
したがって、各ケーブル１７は、配線棚３５を水平方向に這わせた後に、そのまま上方へ立ち上げ、ケーブル接続部１３の接続ポート１９に斜め下方から接続されるので、ケーブル１７の配線流れを自然にすることが可能となり、ケーブル１７にかかるストレスを緩和させることが可能になると共に、立ち上げたケーブル１７をそのまま接続ポート１９に接続可能となるので、ケーブル１７の着脱作業がしやすいものとなり、他のケーブルを引っ掛ける可能性が少なくなるので、不用意な事故の発生を低減することが可能となる。
【００３６】
また、被接続体１５は前後方向に移動可能となるので、ケーブル１７の着脱作業時に被接続体１５の端面１１からの突出量を大きくして作業をし易くすることができ、また、作業終了後に端面１１から突出量を小さくして、不用意にケーブルを引っ掛ける等の不都合を低減することができると共に、他のケーブルの着脱作業の邪魔にならないようにすることが可能となる。
【００３７】
さらに、ケーブル１７の着脱作業を行っていない被接続体は、遮蔽板２０によって前方が覆われているので、被接続体を突出方向に対して移動可能とする構成（被接続体の端面からの突出量を小さくできる構成）と相俟ってケーブル１７の接続部位を完全に保護することが可能となる。
【００３８】
また、遮蔽板２０を利用して回線名称のラベルを貼付することも可能となり、このため、従来必要であったケーブル１７に紐でくくり付けていた回線名称札を無くすことが可能となる。
しかも、上述の構成によれば、制御所（変電所）で行われているスイッチ操作の手順に合わせて、ケーブルの抜き差し操作を、
(i)  回線名を指差し呼称し、
(ii) 被接続体１５を押して作業対象となる被接続体１５を前方へ突出させ、
(iii) その突出した被接続体１５の接続ポート１９に対してケーブル１７の接続コネクタ１８の抜き差しを行い、
(iv) しかる後に運転状態を確認する
という一連の手順で行うことが可能となる。
このため、制御所（変電所）のスイッチ操作に慣れている作業者は、同様の手順感覚でケーブルの抜き差し操作を行うことが可能となり、作業者にとって違和感のない自然な操作が可能となり、誤操作を低減することが可能となる。
【００３９】
尚、上述した配線棚３５は、これに限定されるものではなく、例えば、機器（アダプタ機器１０）の端面の延設方向に沿って延設されたスリットを前記端面１１と垂直方向に複数設けた棚部材を上下方向に間隔をあけて複数設けて構成するようにしてもよい。即ち、図６に示されるように、底板３７の上方に設けられた第1の棚部材３８に平板３６（端面１１）の延設方向に沿って延設されたスリット４２を平板３６（端面１１）の垂直方向に３本設け、また、この第1の棚部材３８の上方に設けられた第２の棚部材３９に平板３６（端面１１）の延設方向に沿って延設されたスリット４３を平板３６（端面１１）の垂直方向に２本設け、底板３５や第1の棚部材３８に水平方向（左右方向）に這わせたケーブル１７をこのスリット４２，４３を介して上方へ引き出し、ケーブル接続部１３へ導くようにしてもよい。
【００４０】
図７及び図８に、本発明にかかるケーブル接続装置の他の構成例が示されている。前述の例では、既存の中継機器１を変更せずに、これに加えてアダプタ機器１０と配線棚３５とを用いる例を示したが、この例においては、中継機器１に設けられていた従来の接続ポートに代えて、図２乃至図４に示すケーブル接続部１３を設けた構成となっている。
【００４１】
即ち、中継機器１は、図２乃至図４に示すケーブル接続部１３を機器本体の前面となる端面５に左右方向で等間隔に複数設けて構成されている。それぞれのケーブル接続部１３は、前記構成例と同様に、端面５から突出した端部１５ａを有するブロック状に形成された被接続体１５と、被接続体１５の前面を覆うことが可能な遮蔽板２０を上下にスライド可能に収容し、被接続体１５より上方に設けられた遮蔽板収容体２１とを備えるもので、被接続体１５の端面５から突出した端部１５ａには、斜め下方に向けられた斜面１６が形成され、この斜面１６にケーブルの端部に設けられた接続コネクタを接続する接続ポート１９が開口形成されている。
【００４２】
この例において、被接続体１５の前後方向の移動は、指で摘んで前方へ移動させ、バネ力を利用して元の位置に戻すもので、被接続体１５の後方に緩衝部材５１が取り付けられたシート面５２を設け、被接続体１５は、このシート面５２を介して引っ張りスプリング５３により常時後方へ付勢されている。したがって、被接続体１５を指で摘んで前方へ移動させると、被接続体１５がシート面５２から離れてスプリング５３が伸張し、被接続体１５を離すと、スプリング５３のバネ力により被接続体１５が機器本体内に向かって移動し、シート面５２に着座するまで移動する。この際、シート面５２は、緩衝部材５１に設けられているので、被接続体１５がバネ力で戻る衝撃をこの緩衝部材５１によって緩和することが可能となる。
【００４３】
また、被接続体１５に設けられた接続ポート１９は、被接続体１５の下方において機器本体内に収容固定されたパルストランスフォーマ５４に接続線５５を介して接続され、このパルストランスフォーマ５４にＰＨＹ（Physical Layer）チップ５６が１対１の関係で接続され、このＰＨＹチップを介して図示しない基板に接続している。なお、被接続体１５の接続ポート１９とパルストランスフォーマ５４とを接続する接続線５５は、被接続体１５の移動によって断線しないように所定の余長が確保されている。
そして、このような中継機器１の下方には、ラック２に固定された前記実施例と同様の配線棚３５が設けられている。
なお、他の構成は前記構成例と同様であるので、同一箇所に同一符号を付して説明を省略する。
【００４４】
したがって、このような構成においても、ラック２の横からの配線の流れをスムーズにして、ケーブル１７にストレスをかけることなく配線にすることが可能となり、また、ケーブル１７の接続ポート１９への着脱作業も容易となる等、前記構成例と同様の作用効果を奏することが可能となる。
【００４５】
なお、この構成においては、各中継機器１にケーブル接続部１３を水平方向に一列だけ設けた例を示したが、中継機器１の上下幅が許せば、ケーブル接続部１３を上下に複数段に設けるようにしてもよい。
【符号の説明】
【００４６】
１  中継機器
２  ラック
５，１１  端面
１０  アダプタ機器
１３  ケーブル接続部
１５  被接続体
１５ａ  端部
１６  斜面
１７  ケーブル
１９  接続ポート
３５  配線棚
２０  遮蔽板
４０，４１  スリット
４２，４３  スリット
【図１】
2013157411.tif 000003
【図２】
2013157411.tif 000004
【図３】
2013157411.tif 000005
【図４】
2013157411.tif 000006
【図５】
2013157411.tif 000007
【図６】
2013157411.tif 000008
【図７】
2013157411.tif 000009
【図８】
2013157411.tif 000010